(57)【要約】【課題】  テニス、ソフトテニス、バトミントン、バレーボール、卓球などの球技の練習用の標的として、高い利便性、かつ使い勝手に優れるとともに練習効果の向上が期待できる球技練習用標的を提供することを目的とする。【解決手段】  本体を、可撓性または弾力性を有するエラストマー素材で薄板円盤状に形成し、表面側を平滑な面、裏面側を凹凸面として構成するとともに、薄板円盤状に形成された該本体の外周縁部に表面側と裏面側とを貫通する開孔部を備えた。【選択図】図２
0003162397.tif 000002
【実用新案登録請求の範囲】
【請求項１】
テニス、ソフトテニス、バトミントン、バレーボール、卓球などの球技練習用標的であって、本体は、可撓性または弾力性を有するエラストマー素材で薄板円盤状に形成され、表面側を平滑な面、裏面側を凹凸面として構成するとともに、薄板円盤状に形成された該本体の外周縁部に表面側と裏面側とを貫通する開孔部を備えたことを特徴とする球技練習用標的。
【請求項２】
該本体の裏面側の凹凸面は、球面状突起、多角錐状突起、円錐状突起、円柱状突起、角柱状突起のうち何れか、あるいは何れかを組み合わせて多数の突起を備えたものであることを特徴とする請求項１に記載の球技練習用標的。
【請求項３】
該本体は、薄板多角形状であることを特徴とする請求項１、請求項２の何れかにに記載の球技練習用標的。
【考案の詳細な説明】
【技術分野】
【０００１】  本考案は、テニス、ソフトテニス、バトミントン、バレーボール、卓球などの球技における練習用の標的に関する。
【背景技術】
【０００２】  従来、テニス、ソフトテニスなどの球技では、打球を正確にコントロールするために、相手コートの所望の位置に、ボールカゴやカラーコーン（パイロン）を標的として置いたり、ネットの所望の位置に、タオルやシャツなどを標的として掛けたりして、正しいフォームで標的に狙いを定めて打つ練習がよく行われている。【０００３】  また、実用新案登録第３０７５５２９号公報（特許文献１）に開示された「表示装置付き球技練習用標的」は、数個の区域に分けられた標的に球を当てることで本体内部の感知機がそれを感知し、各区域と同色の電球に信号が送られてこれが光ることで、練習する者に球の方向や力の加減が正確であったかどうかを知らせるもので、当該公報の段落番号０００４に示されるように、その他着脱、携帯にも便利なよう、標的本体四隅には鳩目を設けて該鳩目に通した紐で、標的本体を網に設置することができると記載されているように、ネットに装着して使用する練習用の標的である。また、段落番号０００８及び図７に示されるように、ゴルフだけでなく、野球やテニス、サッカー等の（ボールを投げる、打つ、蹴る等の）練習用としても幅広く使用することができるものである。
【先行技術文献】
【特許文献】
【０００４】
【特許文献１】  実用新案登録第３０７５５２９号公報
【考案の概要】
【考案が解決しようとする課題】
【０００５】  ところで、従来のテニス、ソフトテニスなどの練習用の標的として前記したように、相手コートの所望の位置に置いたボールカゴやカラーコーン（パイロン）、ネットの所望の位置に掛けたタオルやシャツなどは、標的として目的は達成できるが、身近にあるものを単に利用しているに過ぎない。ボールカゴやカラーコーンに当たったボールは、思わぬ方向に跳ね返り、テニスコートから出てしまい回収に手間取ったり、紛失したりすることが多々ある。また、ネットに掛けたタオルやシャツなどは、風であおられて落下したり飛び去ったりして練習にならないことも多々ある。【０００６】  また、特許文献１の表示装置付き球技練習用標的にあっては、ネットに装着して立設した状態で使用することが適切な使用方法であるため、コートの床に置いて使用しても用をなさない。また、練習する者に球の方向や力の加減が正確であったかどうかを光で知らせるために、電気的な装置（感知機、電球、電源（説明と図示はない））が組み込まれている。そのため、屋外使用に耐えうる防水性や、ボールが当たった際の耐衝撃性が必要であり、それなりの配慮がなされていたとしても、確実な防水性や、耐衝撃性を得ることはコスト面から容易ではない。【０００７】  そこで本考案は、これらの課題を解決するとともに、テニス、ソフトテニス、バトミントン、バレーボール、卓球などの球技の練習用として、高い利便性、かつ使い勝手に優れるとともに練習効果の向上が期待できる球技練習用標的を提供することを目的とするものである。
【課題を解決するための手段】
【０００８】  テニス、ソフトテニス、バトミントン、バレーボール、卓球などの球技練習用標的であって、本体は、可撓性または弾力性を有するエラストマー素材で薄板円盤状に形成され、表面側を平滑な面、裏面側を凹凸面として構成するとともに、薄板円盤状に形成された該本体の外周縁部に表面側と裏面側とを貫通する開孔部を備えたことで解決される。【０００９】  また、該本体の裏面側の凹凸面は、球面状突起、多角錐状突起、円錐状突起、円柱状突起、角柱状突起のうち何れか、あるいは何れかを組み合わせて多数の突起を備えたものであることで解決される。【００１０】  さらに、本体は、薄板多角形状であることで解決される。
【考案の効果】
【００１１】  請求項１においては、テニス、ソフトテニス、バトミントン、バレーボール、卓球などの球技練習用標的であって、本体を、可撓性または弾力性を有するエラストマー素材で薄板円盤状に形成し、表面側を平滑な面、裏面側を凹凸面として構成するとともに、薄板円盤状に形成された該本体の外周縁部に表面側と裏面側とを貫通する開孔部を備えたので、コートの床面、ネットを問わずして、ボールを的確にコントロールして相手コートの狙った位置に打ち込むための練習用の標的として確実な上達効果を実現した。また、本体は薄板円盤状としたので、使用時に邪魔にならず練習の阻害をすることなく、複数枚であっても重ねることでコンパクトに収納することができ持ち運びを容易とした。さらに、裏面側を凹凸面として構成したので、コートに小さな石粒や大粒の砂などの異物があった場合でも、凹凸面の凹部分の空間に異物が入り込むことにより、コートに安定して置くことが可能で、凹部分に異物が入り込んだままの状態としても、本体の裏面側を表にして曲げることにより、凹凸面の全体が広がるので容易に異物が脱落し、メンテナンス性の向上も実現した。以上述べたとおり、高い利便性、かつ使い勝手に優れるとともに練習効果の向上が期待できる球技練習用標的を提供することを可能とした。【００１２】  請求項２においては、該本体の裏面側の凹凸面は、球面状突起、多角錐状突起、円錐状突起、円柱状突起、角柱状突起のうち何れか、あるいは何れかを組み合わせて多数の突起を備えたものであることで、コートに小さな石粒や大粒の砂などの異物があった場合でも、突起以外の凹部分に生じた空間に異物が入り込むことにより、コートに安定して置くことを可能とした。また、凹部分に異物が入り込んだとしても、本体（１）の裏面側（１ｂ）を表にして曲げることにより、突起が広がると同時に凹部分も広がるので容易に異物が脱落し、メンテナンス性も向上した。【００１３】  請求項３においては、本体は、薄板多角形状としたので、視覚的なインパクトを高めてより標的としての認識を向上させることを可能とした。
【図面の簡単な説明】
【００１４】
【図１】本考案の本体の正面図である。
【図２】本考案の本体の背面図である。
【図３】本考案の側面図である。
【図４】本考案をコートに置いた状態を示す図である。
【図５】本考案をネットに取り付けた使用状態を示す図である。
【図６】本考案をコートに置いた使用状態を示す図である。
【図７】本考案をネットに装着した使用状態を示す図である。
【図８】本考案の第２の実施例を示す図である。
【図９】本考案の第３の実施例を示す図である。
【考案を実施するための形態】
【実施例１】
【００１５】  次に、本考案の球技練習用標的の実施例１について、図面を参照して詳細に説明する。
図１は球技練習用標的本体（１）の正面図を示したもので、図２はその背面図、図３は側面図である。【００１６】  本考案の球技練習用標的の本体（１）は、可撓性または弾力性を有するシリコンラバー、ゴムラバーなどのエラストマー素材で薄板円盤状に形成されている。表面側（１ａ）は、平滑な面、裏面側（１ｂ）として、該裏面側（１ｂ）の全面は、多数の球面突起を備えて凹凸面（１ｂ−１）として構成している。また、薄板円盤状に形成された該本体（１）の外周縁部は、表面側（１ａ）と裏面側（１ｂ）とを貫通する開孔部（１ｃ）を開孔して備えた。【００１７】  図５は、本体（１）をネット（４）に取り付けた状態を示す図である。本体（１）の外周縁部に開孔された開孔部（１ｃ）に接続具（２）を備えることで、コート（３）のネット（４）に容易に装着することが可能である。接続具（２）は、図５に示すようにカラビナが最も好適に用いられるが、本体（１）をネット（４）に装着することができればよいので、図示しないがナスカンやベルト類などを用いても差し支えない。【００１８】  図４は、本体（１）をコート（３）に置いた状態を示す図である。本体（１）の裏面側（１ｂ）の全面には、多数の球状突起を備えた凹凸面（１ｂ−１）としたので、コート（３）に細かい異物、例えば小さな石粒や大粒の砂などがあったとしても、図４に示されるように凹凸面（１ｂ−１）の凹部分に入ることにより、本体（１）をコート（３）に安定して置くことが可能である。特にコート（３）がクレーコートの場合は、小さな石粒や大粒の砂はよくあるので安定して置くことが可能である。ところで、凹部分に入り込んだままとなった異物は、本体（１）の裏面側（１ｂ）が表になるようにして曲げることにより、凹凸面（１ｂ−１）の全体が広がるので容易に異物が脱落し、メンテナンス性の向上も実現した。以上述べたとおり、高い利便性、かつ使い勝手に優れるとともに練習効果の向上が期待できる球技練習用標的を提供することを可能とした。【００１９】  図６は、本体（１）をコート（３）に置いた使用状態を示す図であり、テニスコートに使用した例を示した。初心者のサーブ練習においては、相手のサービスコート内にボールが入ることが前提であるが、上達過程においては、相手のサービスコートのどの位置にサーブを打ち込むかを意識し、如何にそこにサーブを打ち込むことができるかが極めて重要である。本体（１）をコート（３）の目的の位置に置いて標的としてサーブを打ち込むことで、打ち込んだサーブが本体（１）に命中したのか、あるいはどの位逸れたのかを明確に認識することができるので、何ら標的のない状態で、相手のサービスコートに打ち込むよりも遙かにサーブコントロールの練習効果の向上を実現することができるのである。この効果は、サーブに限らずラリーやスマッシュの練習、その他の球技の練習においても同様である。また、図に示すように、複数の本体（１）の色を、赤、青、緑、黄と異ならせて置いても良い。この場合は、インストラクターが初心者にテニスを教える際に、標的である本体（１）の色を次々と指示することによって、極めて指導が容易となるといった効果も実現した。【００２０】  図７は、本体（１）をネット（４）に装��した使用状態を示す図であり、図６と同様にテニスコートに使用した例を示した。本体（１）は、接続具（２）を用いてネット（４）に装着している。初心者のストローク練習においては、相手のコート（３）内にボールが入ることが前提であるが、上達過程においては、相手のコート（３）のどの方向にボールを打ち込むかを意識し、如何にその方向にボールを打ち込むことができるかが極めて重要である。本体（１）をネット（４）の所望の位置に装着して標的としてその方向にボールを打ち込むことで、打ち込んだボールが本体（１）の方向に打ち込めたのか、あるいはどの位逸れたのかを明確に認識することができるので、何ら標的のない状態で、相手のコート（３）に打ち込むよりも遙かにストロークコントロールの練習効果の向上を実現することができるのである。この効果は、その他の球技の練習においても同様である。また、図に示すように、ネット（４）に装着した複数の本体（１）の色を、赤、青、緑、黄と異ならせて装着しても良い。この場合は、インストラクターが初心者にテニスを教える際に、標的である本体（１）の色を次々と指示することによって、極めて指導が容易となるといった効果も実現した。
【実施例２】
【００２１】  本考案の球技練習用標的の実施例２について、図８を参照して詳細に説明する。本実施例においては、本体（１）の裏面側（１ｂ）の凹凸面（１ｂ−１）は全面に、球面状突起、多角錐状突起、円錐状突起、円柱状突起、角柱状突起のうち何れか、あるいは何れかを組み合わせて多数の突起を備えたものであることとした。図中（Ａ）は、球面状突起（１ｂ−ａ）、（Ｂ）は、多角錐状突起（１ｂ−ｂ）、（Ｃ）は、円錐状突起（１ｂ−ｃ）、（Ｄ）は、円柱状突起（１ｂ−ｄ）、（Ｅ）は、角柱状突起（１ｂ−ｅ）である。この（Ａ）から（Ｅ）までの突起の何れかのみ、あるいは何れかの突起を組み合わせて多数の突起を備えて凹凸面とすることで、突起以外の部分である凹部には空間が形成される。この空間に、コート（３）に小さな石粒や大粒の砂などの異物があったとしても空間に入り込むことにより、コート（３）に安定して置くことを可能とした。凹部の形成された空間に挟まった状態の異物は、本体（１）の裏面側（１ｂ）が表になるようにして曲げることにより、突起と突起の間が広がるので容易に異物が脱落し、メンテナンス性の向上も実現した。
【実施例３】
【００２２】  本考案の球技練習用標的の実施例３について、図９を参照して詳細に説明する。本実施例においては、本体（１）を、薄板多角形状として構成した。図中（Ａ）は、三角形、（Ｂ）は、四角形、（Ｃ）は、６角形、（Ｄ）は、８角形である。このように、多角形状とすることにより視覚的なインパクトが高まる効果が生ずる。これによって、より標的としての認識を向上させることを可能として、練習効果の向上を実現させた。
【符号の説明】
【００２３】          １          本体
１ａ        表面側
１ｂ        裏面側
１ｂ−１    凹凸面
１ｂ−ａ    球面状突起
１ｂ−ｂ    多角錐状突起
１ｂ−ｃ    円錐状突起
１ｂ−ｄ    円柱状突起
１ｂ−ｅ    角柱状突起
１ｃ        開孔部
２          接続具
３          コート
４          ネット
【図１】
0003162397.tif 000003
【図２】
0003162397.tif 000004
【図３】
0003162397.tif 000005
【図４】
0003162397.tif 000006
【図５】
0003162397.tif 000007
【図６】
0003162397.tif 000008
【図７】
0003162397.tif 000009
【図８】
0003162397.tif 000010
【図９】
0003162397.tif 000011